(57)【要約】【課題】尿をファインバブル処理するとともに、オゾン処理することにより、尿を有用な液肥に変えることができ、しかもほぼ無色の液肥とすることを見出した。【解決手段】採取された尿のみを尿液槽に蓄積する工程と、前記尿液槽から導入した尿にファインバブル（微細気泡）を送り込んでファインバブル処理するとともに、オゾン発生装置を介してオゾン処理を施す第１処理工程と、前記第１処理工程を経た尿を水で希釈するとともに、再度ファインバブル処理およびオゾン処理を施す第２処理工程を経るようにしたことを特徴とする尿の有機化システム。【選択図】  図１
2019210174.tif 000002
【特許請求の範囲】
【請求項１】
採取された尿のみを尿液槽に蓄積する工程と、
前記尿液槽から導入した尿にファインバブル（微細気泡）を送り込んでファインバブル処理するとともに、オゾン発生装置を介してオゾン処理を施す第１処理工程と、
前記第１処理工程を経た尿を水で希釈するとともに、再度ファインバブル処理およびオゾン処理を施す第２処理工程を経るようにしたことを特徴とする尿の有機化システム。
【請求項２】
前記希釈のための水が、水道水あるいは湧水からなり、前記尿を５倍前後になるよう希釈することを特徴とする請求項１に記載の尿の有機化システム。
【請求項３】
前記第１および第２のファインバブル処理およびオゾン処理工程を経て得られた処理済み尿が、液肥として好適な窒素、リン、カリウムの成分量を保持していることを特徴とする請求項１または２に記載の尿の有機化システム。
【請求項４】
前記第１および第２のファインバブル処理およびオゾン処理工程を経て得られた処理済み尿が、液肥として好適な色度を保持していることを特徴とする請求項１ないし３のいずれかに記載の尿の有機化システム。
【請求項５】
前記第１および第２のファインバブル処理およびオゾン処理工程を経て得られた処理済み尿が、液肥として好適な無菌状態を保持していることを特徴とする請求項１ないし４のいずれかに記載の尿の有機化システム。
【発明の詳細な説明】
【技術分野】
【０００１】
この発明は、一般に下水道等を介して排出されていた尿を商品価値のある液肥として再利用することができるようにした尿の有機化システムに関するものである。
【背景技術】
【０００２】
し尿は現代では無価値な廃棄物として、また不衛生で汚いもののイメージが定着しているが、近世以前では、肥料として有価で取引される商品（金肥（きんぴ））であった。
このようにし尿は肥料として有効に活用されてきたが、近年は取り扱いの容易な化学肥料等の進化によってほとんど活用されていないのが実情である。
【０００３】
そこでし尿のうち、特に尿から有価物を回収することに着目した研究がなされてきており、そのような試みとして特開２００４−３５８４０２号公報（特許文献１参照）のような、屎尿から分離して回収した尿又は男子小便器から回収した尿を所定期間放置した後、尿中の有価物を連続的に回収する方法であって、特に屎尿から分離して回収した尿又は男子小便器から回収した尿に尿素分解酵素を添加して尿中のｐＨが９．０以上になると、マグネシウム含有化合物を尿に添加して尿中のりん成分をマグネシウム化合物として回収し、該りん成分を回収した後の尿を空気のバブリングによりアンモニア成分をアンモニアガスとして回収することを特徴とする尿から有価物を連続的に回収する方法が知られている。
【０００４】
前記先行技術は、確かに尿の有効活用としては非常に有効なものであるが、ｐＨの管理が難しい上、マグネシウム含有化合物を尿に添加して尿中のりん成分をマグネシウム化合物として回収する等の特殊な処理が必要であって、有価物の回収に手間やコストがかかり過ぎるという問題があった。
【先行技術文献】
【特許文献】
【０００５】
【特許文献１】特開２００４−３５８４０２号公報
【発明の概要】
【発明が解決しようとする課題】
【０００６】
そこで、し尿のうちの特に尿をそのまま液肥として活用することを目的とし、尿中の不要成分を除去したり除菌したりするとともに、尿独特の色を減色して液肥として安心して使うことができる尿の有機化システムについて鋭意研究してきたのである。
【０００７】
こうしたなかで本発明者らは、尿をファインバブル処理するとともに、オゾン処理することにより、尿を有用な液肥に変えることができ、しかもほぼ無色の液肥とすることを見出したのである。
【課題を解決するための手段】
【０００８】
すなわち上記課題を解決するためにこの発明の尿の有機化システムは、
採取された尿のみを尿液槽に蓄積する工程と、
前記尿液槽から導入した尿にファインバブル（微細気泡）を送り込んでファインバブル処理するとともに、オゾン発生装置を介してオゾン処理を施す第１処理工程と、
前記第１処理工程を経た尿を水で希釈するとともに、再度ファインバブル処理およびオゾン処理を施す第２処理工程を経るようにしたことを特徴とするものである。
【０００９】
この発明の尿の有機化システムにおいて、前記希釈のための水が、水道水あるいは湧水からなり、前記尿を５倍前後になるよう希釈することをも特徴とするものである。
【００１０】
この発明の尿の有機化システムにおいて、前記第１および第２のファインバブル処理およびオゾン処理工程を経て得られた処理済み尿が、液肥として好適な窒素、リン、カリウムの成分量を保持していることをも特徴とするものである。
【００１１】
この発明の尿の有機化システムにおいて、前記第１および第２のファインバブル処理およびオゾン処理工程を経て得られた処理済み尿が、液肥として好適な色度を保持していることをも特徴とするものである。
【００１２】
この発明の尿の有機化システムにおいて、前記第１および第２のファインバブル処理およびオゾン処理工程を経て得られた処理済み尿が、液肥として好適な無菌状態を保持していることをも特徴とするものである。
【発明の効果】
【００１３】
本発明は以上の構成よりなるものであり、これによれば前記第１および第２のファインバブル処理およびオゾン処理工程を経ることにより、非常に迅速かつ効率的に尿を液肥として使用できるまで希釈することができ、かつ得た処理済の尿は液肥として有用な成分や無菌状態、また好ましい色度を有するものとなった。
【００１４】
しかも尿の希釈による液肥化を水道水や湧水を用いて行えるようにしたので、特別な水を使用しなくても尿の希釈を問題なく行うことができるとともに、施工性を向上させて尿の希釈による有機化（液肥化を含む）を経済的に行うことができるようになった。
【００１５】
以上のような構成を備えたこの発明の尿の有機化システムにおいては、前記第１および第２のファインバブル処理およびオゾン処理工程を経て得られた処理済み尿が、液肥として好適な窒素、リン、カリウムの成分量を保持するとともに、液肥として好適な色度を保持し、また液肥として好適な無菌状態を保持しているため、そのまま液肥として圃場等に散布することができるようになった。
【図面の簡単な説明】
【００１６】
【図１】この発明の尿の有機化システムの１実施例を示す概略工程図である。
【図２】ファインバブル処理機構を示す概略説明図である。
【図３】処理前の尿と第１のファインバブル処理およびオゾン処理工程を経て得られた処理済み尿との比較説明図である。
【図４】第１のファインバブル処理およびオゾン処理工程を経て得られた処理済み尿と第２のファインバブル処理およびオゾン処理工程を経て得られた処理済み尿との比較説明図である。
【図５】各工程における成分を分析した成分分析結果を示す表である。
【図６】原尿の成分を分析した分析結果報告書である。
【図７】第１のファインバブル処理およびオゾン処理工程を経て得られた処理済み尿の成分を分析した分析結果報告書である。
【図８】第２のファインバブル処理およびオゾン処理および水道水（市水）による５倍希釈工程を経て得られた処理済み尿の成分を分析した分析結果報告書である。
【図９】第２のファインバブル処理およびオゾン処理および湧水による５倍希釈工程を経て得られた処理済み尿の成分を分析した分析結果報告書である。
【発明を実施するための形態】
【００１７】
以下にこの発明の尿の有機化システムの実施の形態を、図面に基いて詳細に説明する。
【００１８】
図１に示すように、この発明における尿の有機化システムにおいては、まず採取された尿１２のみを尿液槽１１に蓄積する。
そして、前記尿液槽１１から第１処理槽１３に導入した尿１２にファインバブル（微細気泡）１４を送り込んでファインバブル処理（ａ）するとともに、オゾン発生装置１５を介してオゾン処理（ｂ）を施す。これが第１（ファースト）処理工程である。
その上で、前記第１処理工程を経た尿１２を水２２で５倍前後になるよう希釈して第２処理槽２１に送り込み、再度ファインバブル１４によるファインバブル処理（ａ）およびオゾン発生装置１５によるオゾン処理（ｂ）を施す。これが第２（セカンド）処理工程である。
【００１９】
前記尿の有機化システムにおいて、前記希釈のための水２２としては、水道水（長野県茅野市の市水）や湧水（例えば山梨県北杜市の三分一湧水）を使用することができる。
このとき、前記第１（ファースト）処理工程を経た尿１２は、第２（セカンド）処理工程において水２２で５倍前後になるよう希釈されるが、希釈倍率は液肥の品質や用途、価格等に応じて適宜決定することができる。
【００２０】
前記ファインバブル処理（ａ）のための機器としては、図２に示す第１処理槽１３や第２処理槽２１に付設したバブル発生ノズル２３が挙げられ、循環ポンプ２４に給液管２５を介して連結されている。２６は各処理槽１３，２１からの尿液を回収する排液管である。なお、前記バブル発生ノズル２３としては、有限会社ＯＫエンジニアリング社製のＯＫＥ−ＭＢ０４ＦＪ等が、循環ポンプ２４としては、イワキ株式会社製のＭＤ−１０Ｋ−Ｎ等が好適に用いられる。
また、オゾン処理（ｂ）のための機器としては、前記第１処理槽１３や第２処理槽２１の上部に配設したオゾン発生器１５が挙げられ、該オゾン発生器１５としてはコトヒラ工業株式会社製のＫＱＳ−１２０等が好適に用いられる。なお、前記オゾン発生器１５に使用する酸素としては岡谷酸素株式会社の一般工業用酸素を好適に用いることができる。
【００２１】
図３は、第１（ファースト）処理工程を経た尿と処理前の尿との色度を比較した場合を示すものである。その際の時間経過に応じた色度の変化と、オゾン発生条件とを示すものである。
この第１（ファースト）処理工程を経た尿において、明らかな色度の変化を見ることができる。
【００２２】
図４は、第２（セカンド）処理工程を経た尿と第１（ファースト）処理工程を経た尿との色度を比較した場合を示すものである。水による希釈および時間経過に応じた色度の変化と、オゾン発生条件とを示すものである。
この第２（セカンド）処理工程を経た尿においては、第１（ファースト）処理工程を経た尿に対し色度の変化を見ることができる。
【００２３】
図５は、前記第１および第２のファインバブル処理およびオゾン処理工程を経て得られた処理済み尿が、液肥として好適な窒素、リン、カリウムの成分量のみならず、液肥として好適な色度、液肥として好適な無菌状態を保持していることを示すものである。
【００２４】
次に、図６ないし図９に試験機関において種々の分析を行った分析結果報告書を示す。
図６は採取された尿（し尿とあるのは「尿」の誤りである）の液肥としての成分量、色度、菌の状態等を示すものである。
図７は第１（ファースト）処理工程を経た尿（し尿とあるのは「尿」の誤りである）の液肥としての成分量、色度、菌の状態等を示すものである。
さらに、図８は第２（セカンド）処理工程を経た尿（し尿とあるのは「尿」の誤りである）の液肥としての成分量、色度、菌の状態等を示すものである。なお、希釈した水は山梨県北杜市の三分一湧水の水である。
図９は第２（セカンド）処理工程を経た尿（し尿とあるのは「尿」の誤りである）の液肥としての成分量、色度、菌の状態等を示すものである。なお、希釈した水は長野県茅野市の水道水（市水）である。
【００２５】
本発明の尿の有機化システムは以上の構成よりなるものであり、これによれば前記第１および第２のファインバブル処理（ａ）およびオゾン処理（ｂ）工程を経ることにより、非常に迅速かつ効率的に尿を液肥として使用できるまで希釈することができ、かつ得た処理済の尿は液肥として有用な成分や無菌状態、また好ましい色度を有するものとなった。
しかも尿の希釈による液肥化を水道水や湧水を用いて行えるようにしたので、特別な水を使用しなくても尿の希釈を問題なく行うことができるとともに、施工性を向上させて尿の希釈による液肥化を経済的に行うことができるようになった。
【００２６】
またこの発明の尿の有機化システムにおいては、前記第１および第２のファインバブル処理（ａ）およびオゾン処理（ｂ）工程を経て得られた処理済み尿が、液肥として好適な窒素、リン、カリウムの成分量を保持するとともに、液肥として好適な色度を保持し、また液肥として好適な無菌状態を保持しているため、そのまま液肥として圃場等に散布することができるようになった。
そして本発明のこのような顕著な効果は、ファインバブル処理（ａ）およびオゾン処理（ｂ）と水による希釈とを有機的に組み合わせることにより得られたのである。
【産業上の利用可能性】
【００２７】
以上のような構成を備えたこの発明の尿の有機化システムにおいては、どのような場所においても尿の処理を行うことができる。
もちろん、一般住宅用から業務用として広く用いることができることはいうまでもない。
【符号の説明】
【００２８】
１１  尿液槽
１２  尿
１３  第１処理槽
１４  ファインバブル（微細気泡）
１５  オゾン発生器
２１  第２処理槽
２２  水
２３  バブル発生ノズル
２４  循環ポンプ
２５  給液管
２６  排液管
【図１】
2019210174.tif 000003
【図２】
2019210174.tif 000004
【図３】
2019210174.tif 000005
【図４】
2019210174.tif 000006
【図５】
2019210174.tif 000007
【図６】
2019210174.tif 000008
【図７】
2019210174.tif 000009
【図８】
2019210174.tif 000010
【図９】
2019210174.tif 000011